(57)【要約】      （修正有）【課題】軽量、廉価で耐久性にも秀れ、釘類による打ち付けや、紐類を用いた吊り下げにも良く適合し、しかも設置、維持、管理の各作業を格段に効率化できる新たな表示技術を提供する。【解決手段】前面を情報表示部２０とした札本体２の上端適所に、釘類打込み孔３１を貫通した取付け片３を突設すると共に、同取付け片３上端縁にヒンジ部４を介して押圧片５の対応する一辺を一体化し、該押圧片５には、前転倒した場合に釘類打込み孔３１に嵌合可能、且つ中央に釘類打込み孔５０を貫通した膨出部５１を突設した上、当該取付け片３の被着部６１と、該押圧片５適所にあって該ヒンジ部４を折り曲げ、前転倒した場合に当該被着部６１に結合可能な加着部６２とからなる接合部６を設けてなる樹木類装着用表示札１である。【選択図】図５
0003140559.tif 000002
【実用新案登録請求の範囲】
【請求項１】
表面を情報表示部とした札本体の上端中央付近から、板厚方向に釘類打込み孔を貫通した取付け片を一体的に突出形成すると共に、該取付け片の上端縁には、同取付け片に当接状になるよう折り畳み可能とする押圧片がヒンジ部を介して連接され、該押圧片を折り畳んで当該取付け片に当接状としたときに、同取付け片釘類打込み孔に一致することとなる押圧片相当個所にも、同様に釘類打込み孔を板厚方向に貫通形成すると共に、同様に押圧片を折り畳んで当該取付け片に当接状とした状態の、何れも当該ヒンジ部からできるだけ離れて対応する箇所の夫々に、両者間の当接状態を維持可能にする接合部を設けてなるものとしたことを特徴とする樹木類装着用表示札。
【請求項２】
表面を情報表示部とした札本体の上端中央付近から、板厚方向に釘類打込み孔を貫通した取付け片を一体的に突出形成すると共に、該取付け片の上端縁には、同取付け片に当接状になるよう折り畳み可能とする押圧片がヒンジ部を介して連接され、該押圧片を折り畳んで当該取付け片に当接状としたときに、同取付け片釘類打込み孔に一致することとなる押圧片相当個所にも、同様に釘類打込み孔を板厚方向に貫通形成すると共に、同様に押圧片を折り畳んで当該取付け片に当接状とした状態の、何れも当該ヒンジ部からできるだけ離れて対応する箇所の夫々に、両者間の当接状態を維持可能にする接合部を設け、樹木類に巻き付けた紐類を当該取付け片と押圧片との間に挟着、仮固定状とするよう、ヒンジ部から折り曲げて両者の接合部で固定可能とするか、または、ヒンジ部から折り曲げて当接状とした取付け片および押圧片両者の釘類打込み孔を通じて樹木類に釘類を打ち込んで固定可能とするかして樹木類への取り付けを可能にするものとしたことを特徴とする樹木類装着用表示札。
【請求項３】
表面を情報表示部とした札本体の上端中央付近から、板厚方向に釘類打込み孔を貫通した取付け片を一体的に突出形成すると共に、該取付け片の上端縁には、同取付け片に当接状になるよう折り畳み可能とする押圧片がヒンジ部を介して連接され、該押圧片を折り畳んで当該取付け片に当接状としたときに、同取付け片釘類打込み孔に一致することとなる押圧片相当個所には、当該取付け片釘類打込み孔に嵌合可能な凸型および形状で、ヒンジ部に平行する横断状の紐類受入れ溝が刻設された膨出部を突設した上、その中央に、釘類胴部より僅かに大きく、釘類頭部よりは小さい直径とした釘類打込み孔を板厚方向に貫通形成すると共に、同様に押圧片を折り畳んで当該取付け片に当接状とした状態の、何れも当該ヒンジ部からできるだけ離れて対応する箇所の夫々に、両者間の当接状態を維持可能にする接合部を設けてなるものとしたことを特徴とする樹木類装着用表示札。
【請求項４】
接合部は、当該取付け片では札本体に近接する左右隅角付近夫々であり、当該押圧片では、ヒンジ部とは反対がわとなる遊端がわで、先の取付け片左右隅角付近夫々に対応する箇所に規制した位置の夫々に、夫々対応関係にあるもの同士で接合構造の実現可能なものに形成されてなるものとした、請求項１ないし３何れか一項記載の樹木類装着用表示札。
【請求項５】
取付け片は、その押圧片への対峙面上下中央付近の左右縁間に渡って紐類案内溝が横断状に刻設されるか、または、当該押圧片に、紐類用の受入れ溝を有する膨出部を突設したものの場合には、同取付け片における押圧片への対峙面上下中央付近であって、当該ヒンジ部を折り曲げて押圧片を取付け片に当接状としたときの、膨出部の当該受入れ溝軸線に一致する左右縁間に渡り、紐類案内溝が横断状に刻設されるかの何れか一方に設定されてなるものとした、請求項１ないし４何れか一項記載の樹木類装着用表示札。                                                                        
【考案の詳細な説明】
【技術分野】
【０００１】
この考案は、任意の支持対象物に表示物を取り付ける技術に関するものであり、樹木や壁、その外の様々な対象物に固定可能な表示札を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                
【背景技術】
【０００２】
（着目点）
各公共団体や企業によって運営、管理されている公園や緑地帯の樹木や草花などに設置される樹名札は一般に、ステンレスやアルミニウムなどの金属パイプ製や木質系、その他の素材からなる支柱やフレームなどを有して地上の見やすい高さ位置に、前端下がり、後端上がりの傾斜状姿勢に支持されたものの外、樹木の幹や枝の見易い個所に直接巻き掛けた紐や樹脂被覆ワイヤー、コイルスプリングなどを用いて吊下するものなどが広く利用されているが、支柱によって支えられたものは、外観を重視した大型の表示プレートを有しており、また、幹や枝に吊り下げるものも、美観を優先したアクリル板や木質系の素材を用いた高価なものとなっており、それらの設置および維持、管理に要する経済的負担は大きく、各種施設の施工およびメンテナンス費用の節減を困難にする要因の一つとなっていた。
【０００３】
（従来の技術）
こうした状況を憂慮し、例えば、後記する特許文献１（１）に掲載されている考案のように、薄片物で形成された表示部に連続して設けた掛け止め部を、二つ折り可能に形成し、二つ折り状態で合致する二つの装着孔を形成すると共に、二つ折り状態で互いにずれている位置に外方より各装着孔に達する切れ目（差込部）を設けてなり、単なる型抜きで容易に製造できると共に、植物の枝などへの装着が容易で、しかも外れ難いとう利点が得られるようにした「名札」や、同特許文献１（２）に示されている「表示用取付札」考案に見られるとおりの、表示用取付札をシート状又はフォルム状の札本体と、同札本体の一部から一体に突設されるシート状又はフィルム状のベルト部とから構成し、ベルト部の長さ方向に沿って係合部を形成すると共に、該札本体にベルト部を挿入した状態で係合部を係合可能な開口部を形成し、該ベルト部と札本体とが不用意に分離することなく、簡単且つ確実に他の物品に取り付けることができ、しかも分別廃棄を不要にできるようにしたものなどが散見される。
【０００４】
前者の特許文献１（１）「名札」などのようなものは、軽量な薄い樹脂フィルム製であって掛け止め部の操作性に優れていることから、店頭で販売されるような鉢植え植物などに簡易に装着でき、確かに一時的に使用するには大変有効なものといえるが、自然環境下に曝されるために充分な耐久強度が求められる公園や自然木用の樹名札、その他の表示札などとしては不向きなものであり、また、後者の特許文献１（２）「表示用取付札」考案に代表されるようなものの場合は、樹木の水平方向に延びた枝や水平パイプなどの横架物のように水平姿勢の棒状物に装着するのに有効であっても、樹木の幹や電柱などのように垂直姿勢の棒状物への取り付けには不向きであるという欠点があった。
【０００５】
こうした欠点の打開しようとして、後記する特許文献１（３）に掲載されている「表示シート用ホルダ」考案のように、写真や名札、広告、メニューなどの表示シートを挟む透明の裏板と表板とを、折り返しヒンジを介して一体に形成し、該表板の端縁に、第２ヒンジを介して舌片状の保持板を連設し、該保持板と表板との間に、保持板を所定角度に設定可能にする第２係止手段を形成し、保持板には、吊下げ用の吊下げ孔を貫通形成し、さらに、上記折り返しヒンジは、展開状態において表板と裏板とを段違いに連結し、閉じたときに、表板と裏板の内側面が相互に面接触するようにしてなるものとし、該保持板の吊下げ孔に釘やボルトを打ち込んで対象物に固定できるよう設定されたものもあるが、垂直姿勢の樹木や電柱に紐やワイヤーで吊り下げ装着するには先ず、紐やワイヤーを吊下げ孔に差し通してから、対象物に巻き掛けるよう縛り付けなければならず、既に樹木類に巻き付いている紐類に装着する場合には、別のリングやホルダー、紐類などを用いて連結するか、または、一旦紐を解いてから吊下げ孔に紐類を差し通した上、樹木類に縛り直す必要があり、作業条件の悪い屋外での吊下作業を益々繁雑化してしまうという欠点を残すものといえる。                                                                                                                
【特許文献１】（１）特開２００５−１８１５１７号公報    （２）登録実用新案第３０８５４１１号公報    （３）登録実用新案第３０３７８８３号公報
【考案の開示】
【考案が解決しようとする課題】
【０００６】
（問題意識）
上述したとおり、従前までに提案のある各種表示札類は、用途や取付け方が限定されてしまうものは多数見受けられるが、何れも公園などの樹木や電柱など垂直姿勢の棒状の対象物への装着には不向きであったり、また、釘やボルトなどを用いて対象物に固定可能なものも幾つか存在するが、それらは固定手段を限定されてしまい、垂直棒状の対象物に巻き掛けた紐やワイヤー類に吊り下げるのが困難であるという欠点を有したままのものとなっていて、釘やボルト類、あるいは紐やワイヤー類などといった具合に目的、用途に応じて様々な手段を随時選択的に採用して簡便に取り付けが可能であり、しかも自然公園内や山岳地など厳しい気象条件にも耐える充分な耐久強度を兼ね備えるようにした表示札類は、未だ存在しないというのが現状である。
【０００７】
（考案の目的）
そこで、この考案は、軽量、廉価で耐久性にも秀れ、釘類による打ち付けや、紐類を用いた吊り下げにも良く適合し、しかも設置、維持、管理の各作業を格段に効率化できる新たな表示技術の開発はできないものかとの判断から、逸速くその開発、研究に着手し、長期に渡る試行錯誤と幾多の試作、実験とを繰り返してきた結果、今回、遂に新規な構造の樹木類装着用表示札を実現化することに成功したものであり、以下では、図面に示すこの考案を代表する実施例と共に、その構成を詳述することとする。                                                        
【課題を解決するための手段】
【０００８】
（考案の構成）
図面に示すこの考案を代表する実施例からも明確に理解されるように、この考案の樹木類装着用表示札は、基本的に次のような構成から成り立っている。
即ち、前面を情報表示部とした札本体の中央上端付近から、中央に釘類打込み孔を板厚方向に貫通した取付け片を突出、一体化すると共に、該取付け片の上端縁にはヒンジ部を介し、同取付け片前面に当接可能な壁面形状とした押圧片の対応する一辺を一体化し、該押圧片中央の、同取付け片に当接状としたときの、膨出部の当該、当該取付け片釘類打込み孔に一致する個所に釘類打込み孔を板厚方向に貫通した上、当該取付け片の基端付近に設けた被着部と、当該押圧片の該ヒンジ部とは反対がわとなる遊端がわ付近にあって、該ヒンジ部を折り曲げ、該取付け片に当接状としたときの、膨出部の当該、当該取付け片の被着部に嵌合可能とした加着部とからなる接合部を設けてなるものとした構成を要旨とする樹木類装着用表示札である。
【０００９】
これを換言すると、表面を情報表示部とした札本体の上端中央付近から、板厚方向に釘類打込み孔を貫通した取付け片を一体的に突出形成すると共に、該取付け片の上端縁には、同取付け片に当接状になるよう折り畳み可能とする押圧片がヒンジ部を介して連接され、該押圧片を折り畳んで当該取付け片に当接状としたときに、同取付け片釘類打込み孔に一致することとなる押圧片相当個所にも、同様に釘類打込み孔を板厚方向に貫通形成すると共に、同様に押圧片を折り畳んで当該取付け片に当接状とした状態の、何れも当該ヒンジ部からできるだけ離れて対応する箇所の夫々に、両者間の当接状態を維持可能にする接合部を設け、樹木類に巻き付けた紐類を当該取付け片と押圧片との間に挟着、仮固定状とするよう、ヒンジ部から折り曲げて両者の接合部で固定可能とするか、または、ヒンジ部から折り曲げて当接状とした取付け片および押圧片両者の釘類打込み孔を通じて樹木類に釘類を打ち込んで固定可能とするかして樹木類への取り付けを可能にするものとした構成の樹木類装着用表示札となる。
【００１０】
この基本的な構成からなる樹木類装着用表示札は、より具体的には、表面を情報表示部とした札本体の上端中央付近から、板厚方向に釘類打込み孔を貫通した取付け片を一体的に突出形成すると共に、該取付け片の上端縁には、同取付け片に当接状になるよう折り畳み可能とする押圧片がヒンジ部を介して連接され、該押圧片を折り畳んで当該取付け片に当接状としたときに、同取付け片釘類打込み孔に一致することとなる押圧片相当個所には、当該取付け片釘類打込み孔に嵌合可能な凸型および形状で、ヒンジ部に平行する横断状の紐類受入れ溝が刻設された膨出部を突設した上、その中央に、釘類胴部より僅かに大きく、釘類頭部よりは小さい直径とした釘類打込み孔を板厚方向に貫通形成すると共に、同様に押圧片を折り畳んで当該取付け片に当接状とした状態の、何れも当該ヒンジ部からできるだけ離れて対応する箇所の夫々に、両者間の当接状態を維持可能にする接合部を設けてなる樹木類装着用表示札といえる。                                                                        
【考案の効果】
【００１１】
以上のとおり、この考案の樹木類装着用表示札によれば、従前までは、釘やボルト類および紐やワイヤー類など、様々な手段で軽便に固定することができ、しかも自然公園内など厳しい気象条件にも耐え得る高い耐久強度をもつ表示札は存在せず、これを解決するものは未だ開発されていなかったが、札本体の取付け片上端縁にヒンジ部を介して押圧片が一体化されたものとし、煩わしい部品類の組み合わせや取り扱いが不要となり、輸送、保管、管理、携帯、および固定対象物への取り付け作業などを簡素化して効率化することができ、しかもヒンジ部を折り曲げて接合部の被着部と加着部とを結合させるだけで、中央に釘類打込み孔を貫通した取付け片に、同じく中央に釘類打込み孔を穿孔した押圧片を重ね合わせ、釘類による打ち付け固定にも充分に耐える強度を得ることができる上、当該接合部が、取付け片、押圧片の何れもヒンジ部からはなるべく離れた箇所に設けられ、ヒンジ部から折り畳んで取付け片に押圧片を当接状に維持されるようにし、垂直状姿勢の樹木類に水平に巻き掛けた紐類の中途適所を挟み付けて固定することができ、そのように固定された紐類は、取付け片および押圧片の上端縁間がヒンジ部によって閉鎖され、また下端縁付近間が接合部によって閉じ合わせられたものとなることから、軽易な装着作業で強固に連結されたものとすることができるという秀れた特徴が得られるものである。
【００１２】
加えて、当該取付け片に釘類打込み孔を貫通形成すると共に、押圧片における該取付け片への対峙面にも釘類打込み孔を貫通した膨出部を突設し、且つ同膨出部に紐類用の受入れ溝を横断状に刻設してなるものでは、ヒンジ部を折り畳み、膨出部を釘類打込み孔に嵌合するよう押圧片を取付け片に当接状として接合させた場合、該膨出部の受入れ溝と、取付け片における押圧片への対峙面との間に、紐類を、前後方向および上下方向何れの方向への移動を規制するよう挟み込むことが可能となり、紐類による固定を一段と確実、強固なものとすることができる上、ヒンジ部および接合部による連結に加え膨出部と釘類打込み孔との嵌合強度が加わり、取付け片と押圧片との結合強度を格段に高め、釘類の打ち付け作業による衝撃力や他物による接触、風雨雪などによる外力などに対する耐久強度を大幅に向上させる効果を奏するものとなる。
【００１３】
そして、取付け片と押圧片との夫々には、何れもヒンジ部からなるべく離れて位置で夫々対応する箇所に接合部を設けてあり、押圧片を、ヒンジ部で折り曲げて取付け片に当接状としてそれら接合部同士で連結してしまうと、札本体は、それら取付け片と押圧片との接合によって補強され、釘類を使って打込み、装着する場合でも紐類を挟着状とする場合でも、被取付け対象物に対する装着強度を充分に確保することができ、しかも同取付け片および押圧片の左右幅を充分に活かして紐類に対して、より安定的で高強度の装着ができるものとなるという利点が得られる。
【００１４】
また、当該取付け片の押圧片への対峙面上下中央付近の左右縁間に渡り、紐類案内溝を横断状に刻設したものでは、同取付け片と押圧片との間に固定用の紐類を挟着する場合に、紐類中途部を紐類案内溝内に埋没状にした上、取付け片および押圧片を当接して接合部による連結をしてしまえば、札本体の紐類に対する装着強度は一層高められることとなり、あるいは、当該押圧片に紐類用の受入れ溝を形成した膨出部を突設し、取付け片における押圧片への対峙面であって、ヒンジ部を折り曲げて取付け片に当接状としたときの、膨出部の当該受入れ溝に対応する左右縁間に渡り、紐類案内溝を横断状に刻設したものの場合は、該受入れ溝および紐類案内溝間に合わせて紐類中途部を埋没状とし、それら取付け片と押圧片との接合部を連結してしまえば、紐類を確実に挟着することとなり、装着すべき紐類に対する前後方向および上下方向何れの方向へもズレ動かないよう確りと固定することが可能となって、長期間に渡る表示札としての機能が保証されたものになるという大きな特徴を発揮するものとなる。                                                              
【考案を実施するための最良の形態】
【００１５】
上記したとおりの構成からなるこの考案の実施に際し、その最良もしくは望ましい形態について説明を加えることにする。
樹木類装着用表示札は、対象物適所に札本体の情報表示部を表向きとするよう固定可能であって、情報表示部に表示した文字や絵、その外の少なくとも視認可能な情報を表示する機能を果たすものであり、より具体的には、樹木や草花などの植物用の樹名札や道標札、土地の境界札、避難路誘導札、工場配管などの施設用表示札など様々な用途に用いることが可能で、荒天に曝されても容易に破損しない程度の充分な耐久強度を有するものとしなければならず、ステンレスやアルミニウムなど耐食性の高い金属製や木質系素材製、または、強化ガラス製、あるいはそれらの複合素材製などとすることが可能であるが、経済性や輸送、保管、携帯などの取扱い作業性などを考慮すると、ポリプロピレンやポリエチレン、ポリ塩化ビニル、ポリスチレン、アクリロニトリルブタジエンスチレン共重合樹脂、アクリロニトリルスチレン共重合樹脂、メタクリル樹脂、ポリビニルアルコール、ポリ塩化ビニリデン、ポリエチレンテレフタレート、ポリアミド、ポリアセタール、ポリカーボネート、変性ポリフェニレンエーテル、ポリブチレンテレフタレート、エチレンコポリマー、ポリメチルペンテン、アイオノマー樹脂、フッ素樹脂、エポキシ樹脂、ＡＢＳ樹脂、その外の合成樹脂製、リサイクル合成樹脂製、または、炭素繊維、ガラス繊維などとの複合材製とすることができ、例えばヒンジ部部分に軟質な樹脂を組み合わせたものや、金属製の軸を組み込んだものなどとすることも可能である。
【００１６】
札本体は、その表面に充分な視認性を確保可能とする情報表示部を確保すると共に、該情報表示部の上部適所に釘類による打ち付けや、紐類による縛り付けによる固定を容易にする取付け片を一体化するという機能を果たし、その情報表示部は、表示内容に応じて充分な視認性を確保できる面積を有するものとしなければならず、形状は板状とする以外、特に限定されず、正面視形状が円形、楕円形、台形、菱形、星形、ハート形などの外、様々な形状に自由に設定することができ、その表示は文字、絵、写真、図案、模様、マーク、またはそれらの組み合わせなどを印刷、彫刻、立体感のある浮き彫り成型や、後述する実施例に示すような彫刻または刻印に着色したものなど、多様な表示が可能であり、また、表示内容を印刷した粘着シールの貼り付けや情報が印刷された樹脂フィルムでコーティングしたものとすることなどが可能であって、表面に着色したものや素材そのものの色や形のみを表示するものとすることも勿論可能である。
【００１７】
取付け片は、固定の対象物に対して札本体を、その情報表示部を隠蔽せず、表示内容を視認し易い状態に露出するよう固定可能とすると共に、ヒンジ部および押圧片を札本体に一体に連結する機能を果たすものであり、充分な強度をもって札本体の上部適所に一体化されたものとし、中央付近に釘類打込み孔か、または釘類打込み孔かの少なくとも何れか一方を、肉厚方向に貫通したものとしなければならず、札本体の重心上に配したものとするのが望ましく、押圧片への対峙面上下中央付近の左右縁間に渡り、紐類案内溝が横断状に刻設されたか、または、当該押圧片に、紐類用の受入れ溝を有する膨出部を突設したものの場合には、同取付け片における押圧片への対峙面上下中央付近であって、当該ヒンジ部を折り曲げ、該取付け片に当接状としたときの、膨出部の当該、該膨出部の受入れ溝に対応する左右縁間に渡り、紐類案内溝が横断状に刻設されたかの何れか一方に設定されてなるものとすることができる。
【００１８】
釘類打込み孔は、固定の対象物に直接打ち込むことのできる釘やボルト、ビス、タッピングネジ、画鋲、その他の釘類の胴部を貫通状に通過可能とする機能を果たし、打ち込まれる釘類の胴部外径寸法よりも僅かに大きな直径に設定しなければならず、その孔形状は、採用する釘類に応じた形状のものとするか、何れにも対応可能なものとするかしてもよく、それらは円形、楕円形、長円形、四角形、菱形、台形、だるま形など様々な形状に設定可能であることはいうまでもない。
【００１９】
また、取付け片に設ける釘類打込み孔の方は、ヒンジ部を折り曲げて押圧片を取付け片に当接状としたときに、押圧片に設けた膨出部を嵌合状としてしまい、当接したときの取付け片、押圧片同士を互いに連結可能とする機能を果たすものであり、取付け片の中央に釘類の胴部直径を充分に上回る開口寸法に設定されたものとして板厚方向に貫通したものとし、押圧片膨出部の外周輪郭形状に相似して嵌合可能な寸法、形状に設定されたものとしなければならない。
【００２０】
紐類案内溝は、取付け片および押圧片の互いの当接面同士間に、紐類を横断状に挟着した場合にも、紐類中途部分を取付け片肉厚中に埋没状として双方の当接面同士間に隅間を生じさせない当接を可能とする機能を果たし、装着対象となる紐類を取付け片肉厚中に埋没状とし得る寸法、形状に設定されたものとし、取付け片の押圧片への対峙面上下中央付近の左右縁間に渡って横断状に刻設されたものか、または、当該押圧片に、紐類用の受入れ溝を有する膨出部を突設したものの場合には、同取付け片における押圧片への対峙面上下中央付近であって、当該ヒンジ部を折り曲げ、該取付け片に当接状としたときの、膨出部の当該受入れ溝に対応する左右縁間に渡り、横断状に刻設されたものかの何れか一方としなければならず、紐類への組み込み作業性を考慮すると、後述する実施例にも示すように、水平な一直線状のものに刻設されたものとする外、必要に応じて紐類に沿った横滑り移動を阻止できるようにするクランク形、鋸刃形、波形などの特殊な溝形状に刻設したものとすることが可能である。
【００２１】
ヒンジ部は、取付け片の上端縁に押圧片の対応する一辺を、同押圧片が取付け片の対峙面に当接状に重なり合うよう折り曲げ操作可能とする機能を果たすものであり、水平軸を有して蝶番状に開閉可能とするものの外、後述する実施例に示すように取付け片の上端縁と押圧片の対応する一辺との間に一体化形成され、水平直線状の薄肉部分からなる応力集中個所とすることができ、取付け片および押圧片間の左右幅全幅か中央所定巾一個所とするか、同左右幅間の均衡する複数個所とするかの何れかに設けたものとする。
【００２２】
押圧片は、取付け片の上端縁付近から折り畳み、同取付け片における押圧片への対峙面の略全面に当接して該取付け片の実質的厚みを倍加するに匹敵するものとなし、釘類などの打ち込みに対する耐久強度を高める外、取付け片における押圧片への対峙面に横断状に渡し掛けた紐類を、同取付け片における押圧片への対峙面との間に挟み込んで挟着可能とする機能を果たし、取付け片の上端縁にはヒンジ部を介して対応する一辺を一体化したものとしなければならず、当該押圧片中央で、取付け片に当接状としたときの、当該取付け片釘類打込み孔に一致する個所に、同じく釘類打込み孔を板厚方向に貫通したものとするか、または、折り畳んで当該取付け片に当接状としたときの、同取付け片釘類打込み孔に嵌合可能な膨出部を突設し、且つ同膨出部の膨出先端から取付け片への対峙面に向けて紐類用の受入れ溝を横断状に刻設して、その中央に釘類の胴部より僅かに大きく、釘類の頭部よりも小さな直径寸法に規制した釘類打込み孔を板厚方向に貫通したものとするかの何れか一方に設定されたものとしなければならない。
【００２３】
この押圧片に設ける釘類打込み孔は、取付け片に当接状として取付け片前面に当接したときに、当該取付け片釘類打込み孔に合致して、双方の釘類打込み孔を使って釘類による打ち付け固定を可能とする機能を果たし、使用する釘類の胴部外径より僅かに大きく、同釘類の頭部外径よりは小さい直径寸法に設定したものとしなければならず、その形状は釘類の胴部断面形状に応じて設定可能であり、設定直径寸法から外れない範囲で、先の取付け片釘類打込み孔におけると同様の目的で、正断面形状が円形、長円形、四角形、菱形、台形、星形、だるま形など様々な形状に設定することができる。
【００２４】
膨出部は、取付け片の釘類打込み孔に嵌着して押圧片を取付け片に一体化するよう連結可能とすると共に、膨出先端から取付け片への対峙面に向けた深さにして紐類を横断状に挟持可能とする外、釘類の胴部を板厚方向に貫通可能にするという機能を兼ね備え、その取付け片への対峙面中央に、同取付け片に当接状としたときの、当該取付け片釘類打込み孔に嵌合可能なものとして突設し、且つ同膨出部の膨出先端には紐類用の受入れ溝を横断状に刻設したものとすると共に、その中央に釘類の胴部より僅かに大きく、釘類の頭部よりも小さな直径寸法とした釘類打込み孔を板厚方向に貫通してなるものとしなければならず、ヒンジ部で折り畳む押圧片の軌道上において他物に干渉することなく、釘類打込み孔に確りと嵌合できる形状、寸法に設定されたものとしなければならない。
【００２５】
受入れ溝は、膨出部膨出先端から取付け片への対峙面に向けた所定深さで、膨出先端がわに先割れ状断面となり、紐類を挟み込み可能とする空間を形成し、紐類の中途部分が挟み込まれたまま、その先割れ状の膨出部膨出先端がわを、当該取付け片の釘類打込み孔に嵌合状に組み合わせ可能とし、該受入れ溝と取付け片における押圧片への対峙面との間か、または、該受入れ溝と取付け片の紐類案内溝との間かの何れかに埋没状とした水平姿勢の紐類が、同紐類の軸芯方向に交叉する前後および上下方向何れの方向にも離脱したりして移動してしまわないよう強固に保持可能とする機能を果たすものであり、膨出部の膨出先端から取付け片への対峙面に向け、装着対象の紐類を埋没状とする寸法、形状の水平状溝に刻設されたものとしなければならない。
【００２６】
接合部は、ヒンジ部で折り畳むことにより、取付け片における押圧片への対峙面に、押圧片における取付け片への対峙面を当接状としたときの、押圧片および取付け片の双方同士が、当接状態のまま一体化するよう連結する機能を果たし、当該取付け片と押圧片共に、何れもヒンジ部からはなるべく離れた夫々の隅角付近であって、押圧片および取付け片のもの同士が対応する箇所に設けられるようにしなければならず、一旦結合した後に簡単には外れてしまわない程度の強度をもって連結可能なものとしなければならず、押圧片および取付け片の適所間にバックルや金具、面ファスナー、鈎爪などの連結可能部品を一体化とするか、または別部品として組み込んだものとすることができ、経済性や構造の簡素化などを考慮すると、後述する実施例に示すように、当該取付け片の札本体に繋がる基端左右隅付近夫々に、板厚方向に穿孔または貫通した嵌着孔と、当該押圧片の該ヒンジ部とは反対がわとなる遊端がわであって左右隅角付近に、ヒンジ部から折り畳んで双方を当接状としたときの当該取付け片の各嵌着孔に嵌合、仮固定可能な配置、形状に規制して突設した柱状突起部とからなるものとするのがよく、必要に応じ、双方の構造を入れ替えたものとし、取付け片の方に柱状突起部を突設し、押圧片に嵌着孔を穿孔したものとすることも可能である。
【００２７】
樹木類は、当該樹木類装着用表示札を装着対象とする、所謂被装着物となるものであり、自然環境下や各種公園などに植生する樹木の外、電柱や配管、柱、杭などといった人工物、あるいは、壁や塀、柵、フェンスなど建造物であって当該表示札を釘類や紐類を使って固定可能とするあらゆる物品が含まれる。
【００２８】
紐類は、当該樹木類装着用表示札を被装着物に吊下げ状に装着可能とするために括り付けるための紐状物品であり、合成樹脂製、合成繊維製、不織布製、天然繊維製の外、各種金属線、樹脂被覆金属線、コイルスプリングなど紐状の殆どの物品、およびそれらの組み合わせからなるものであり、また、釘類は、当該樹木類装着用表示札を被装着物に取り付け可能な釘状の物品、例えば釘、ボルト、タッピングネジ、ビス、画鋲、その他の物品であるということができる。
以下では、図面に示すこの考案を代表する実施例と共に、その構造について詳述することとする。                                                                                                            
【実施例１】
【００２９】
図１の樹木類装着用表示札の正面図、図２の樹木類装着用表示札の縦断面図、図３のヒンジ部を畳んだ樹木類装着用表示札の正面図、図４のヒンジ部を畳んだ樹木類装着用表示札の縦断面図、図５の展開状態にある樹木類装着用表示札の斜視図、図６の樹木類装着用表示札要部の斜視図に示す事例は、前面を情報表示部２０とした札本体２の上端適所に、釘類打込み孔３１（釘類打込み孔３０）を貫通した取付け片３を突設すると共に、同取付け片３上端縁にヒンジ部４を介して押圧片５の対応する一辺を一体化し、該押圧片５展開状態押圧片への対峙面には、ヒンジ部４を境に前転倒した場合に当該釘類打込み孔３１に嵌合可能で、中央に釘類打込み孔５０を貫通した膨出部５１を突設した上、当該取付け片３の被着部６１と、該押圧片５適所にあって該ヒンジ部４を折り曲げ、前転倒した場合に当該被着部６１に結合可能な加着部６２とからなる接合部６を設けてなる、この考案の樹木類装着用表示札における代表的な一実施例を示すものである。
【００３０】
それら各図からも明確に把握できるとおり、この考案の樹木類装着用表示札１は、リサイクル・ポリプロピレンまたは同ポリエチレンテレフタレート製の一体型、射出成型品であって、縦５９ｍｍ、左右幅８９ｍｍ、厚さ４ｍｍの四角が丸面取りされた矩形平板状の札本体２を有し、その中央上端に縦２８ｍｍ、左右幅３０ｍｍ、厚さ３ｍｍの上端左右角を丸面取りされた矩形小板状の取付け片３の下辺が、押圧片への対峙面を該札本体２押圧片への対峙面と面一状に連続し、概略正面形凸字状をなすよう一体化されたものとし、該取付け片３の上端縁には、同上端縁中央の左右幅１８ｍｍの範囲に一体成型された薄肉状部分からなるヒンジ部４を介して、縦２８ｍｍ、左右幅３０ｍｍ、厚さ３ｍｍの四角を丸面取りした矩形小板状押圧片５の下辺を一体化したものとしている。
【００３１】
当該札本体２の前面は情報表示部２０に設定し、例えば、登山道用の道標札として、図１中に二点鎖線で示す表示範囲Ａに「表示札」、表示範囲Ｂに「この登山道は」、表示範囲Ｃに「頭殿山」（地名）、表示矢印Ｇを挟み、表示範囲Ｄに「葉山」（地名）、表示範囲Ｅに「６．５Ｋｍ」（距離）、表示範囲Ｆに「Ｎｏ６５／１５」（管理番号）などを印刷、刻印または彫刻、および刻印または彫刻個所に着色するなどして鮮明に表示したものとしている。その外、営林署による育成木の管理札として「管理札」、「育成木」、「２００８」（管理年）、「○○営林署」、その他管理番号などを適宜表示したものとすることが可能であり、避難路誘導札として「表示札」、「緊急避難広場」、「→２００Ｍ」、「葛飾区」「ここは亀有３−５」（現在地）などを適宜表示したもの、また、境界札として「境界札」、「２００８−４」（管理年月）、「鮎貝財産区」などを適宜表示したもの、樹名札として「表示札」、「この木なんの木」、「しらかば」、「白樺」、「カバノキ科」、「出来町３−５」（所在地）などを適宜表示したものなどとする。
【００３２】
当該取付け片３は、その中央に縦１５ｍｍ、左右幅１３ｍｍの正面形矩形状の釘類打込み孔３１が板厚方向に貫通されたものとし、前面上下中央には、同釘類打込み孔３１を除く左右端縁間に渡り、上下幅３ｍｍ、前後長（深さ）１ｍｍの縦断面矩形状の紐類案内溝３２を水平線状に刻設したものとしている。また、該取付け片３の札本体２と一体化する基端付近となる左右隅付近の夫々に、板厚方向に貫通する直径３ｍｍの接合部６の被着部としての嵌着孔６１，６１を穿設したものとする。
【００３３】
図１および図２中に示すように、展開状態にある当該押圧片５の前面中央には、縦１４．５ｍｍ、左右幅１１ｍｍ、前後長（前方突出高さ）４ｍｍのブロック状とした膨出部５１が、各角部分を丸面取りされたものとして突設し、同膨出部５１の正面中央には、直径８ｍｍの釘類打込み孔５０を板厚方向に貫通したものとし、さらに、同膨出部５１の釘類打込み孔５０を除く左右端縁間に渡り、上下幅３ｍｍ、前後長（前後奥行き深さ）４ｍｍの受入れ溝５２が、該膨出部５１の先端から押圧片５押圧片への対峙面に達する縦断面矩形状且つ水平線状に刻設されたものとし、図３および図４中に示すように、ヒンジ部４を折り曲げ、前転倒させた該押圧片５が、取付け片３押圧片への対峙面に当接した場合、釘類打込み孔３１中に膨出部５１が確りと嵌合し、且つ紐類案内溝３２と受入れ溝５２とが組み合わされて左右に貫通する上下幅３ｍｍ、前後長（前後深さ）１ｍｍの縦断面矩形状の水平貫通路部分を形成するものとしている。
【００３４】
そして、展開状態にある当該押圧片５の前面上端縁左右角付近の夫々からは、直径３ｍｍ、前後長（突出高さ）４ｍｍの概略円柱形であって、接合部６の加着部となる柱状突起部６２，６２を一体的に突設し、それらの配置、形状は、図３および図４中に示すようヒンジ部４を折り曲げて前転倒させた該押圧片５が、取付け片３の押圧片への対峙面に当接した場合に、各嵌着孔６１，６１に正確に嵌合可能となるよう設定してある。
【００３５】
また、当該取付け片３は、図１１の一部に変更を加えた樹木類装着用表示札要部の斜視図に示すよう紐類案内溝３２（図１ないし図６に図示）を刻設しないものとすることも可能であり、また、図１ないし図６に示した取付け片３の釘類打込み孔３１、紐類案内溝３２、および押圧片５の膨出部５１、受入れ溝５２を廃止し、図１２のさらに別の変更を加えた樹木類装着用表示札要部の斜視図に示すように、取付け片３の中央に直径８ｍｍの釘類打込み孔３０を板厚方向に貫通したものとすると共に、押圧片５の、ヒンジ部４を折り曲げて前転倒させた場合に、取付け片３釘類打込み孔３０に対峙する中央部分に、同じく直径８ｍｍの釘類打込み孔５０を板厚方向に貫通、形成したものとすることができる。
【００３６】
さらにまた、当該樹木類装着用表示札１は小型の表示札として、札本体２を縦４０ｍｍ、左右幅５９ｍｍ、厚さ３ｍｍの矩形板状に形成し、その上端中央から縦２０ｍｍ、左右幅２０ｍｍ、厚さ２ｍｍの矩形小板状とした取付け片３を、前面面一状に突出して正面形状概略凸字型に形成すると共に、該取付け片３の上端縁にヒンジ部４を介して略同寸法、（縦２０ｍｍ、左右幅２０ｍｍ、厚さ２ｍｍ）形状の押圧片５の展開姿勢の下辺を一体化、形成したものとすることができる。そして、図示していないが、ヒンジ部４は、展開状態の正面形状における取付け片３上端縁、押圧片５下端辺間に、均衡する配置となるよう左右一対、設けたものとすることが可能である。
【００３７】
（実施例１の作用）
以上のとおりの構成からなるこの考案の樹木類装着用表示札１は、樹木類７の略垂直な幹などに紐類８を用いて固定する場合には、図７の紐で固定する樹木類装着用表示札の斜視図に示すように、樹木類７に当該樹木類装着用表示札１の背面壁を接するよう配置し、該取付け片３の紐類案内溝３２に、樹木類７に巻き掛けて縛り付けた紐類８の中途適所が嵌るよう組み合わせてから、図８の紐に挟着した樹木類装着用表示札の斜視図に示すように、ヒンジ部４を折り曲げて押圧片５を前転倒するよう操作し、図１ないし図４（紐類８は図示せず）中に示すよう釘類打込み孔３１に膨出部５１を嵌合すると共に、接合部６嵌着孔６１，６１の夫々に各柱状突起部６２，６２を嵌合するよう閉じ合わせ、取付け片３押圧片への対峙面に押圧片５を当接させ、紐類案内溝３２と受入れ溝５２との間に紐類８の中途適所を挟み込むよう挟着したものとする。
【００３８】
また、当該樹木類装着用表示札１を樹木類７の略垂直な幹などに釘類９を用いて固定する場合には、図９の釘で固定する樹木類装着用表示札の斜視図に示すようヒンジ部４を折り曲げ、押圧片５を前転倒、操作して図１ないし図４（釘類９は図示せず）中に示すよう釘類打込み孔３１に膨出部５１を嵌合すると共に、接合部６嵌着孔６１，６１の夫々に各柱状突起部６２，６２を嵌合し、取付け片３押圧片への対峙面に当接するよう閉じ合わせた後、図９に示すよう同樹木類装着用表示札１の背面壁を樹木類７の取り付け個所に当接するよう配置した上、押圧片５釘類打込み孔５０に胴部直径６ｍｍ、胴部長３０ｍｍ、頭部直径１０ｍｍ、頭部厚さ５ｍｍの硬質樹脂製の釘９を打ち込み、図１０の釘で固定した樹木類装着用表示札の斜視図に示すよう確りと固定したものとする。
【００３９】
また、図１１に示した樹木類装着用表示札要部のように、取付け片３の紐類案内溝３２を廃止したものの場合には、その製造工程で使用する金型の構造を簡略化することが可能となり、図１２に示したもののように、取付け片３の中央に釘類打込み孔３０を穿孔し、押圧片５の対応個所に釘類打込み孔５０を穿孔したものは、製造に使用する金型が、さらに簡単な構造で済み、小型の表示札を製造する場合に適した構造となる。
【００４０】
（実施例１の効果）
以上のような構成からなる実施例１の樹木類装着用表示札１は、先のこの考案の効果の項で列挙した効果に加え、図９および図１０中に示すよう押圧片５に直径８ｍｍの釘類打込み孔５０を穿孔し、胴部直径６ｍｍ、胴部長３０ｍｍ、頭部直径１０ｍｍ、頭部厚さ５ｍｍの硬質樹脂製の釘９を打ち込み可能としてあり、錆び易い金属製の釘やタッピングネジなどを使用せずに固定できるから、自然環境下に繁茂する樹木類７にダメージを与えず、しかも半永久的に固定することができるという秀れた耐久性を確保できる。
【００４１】
また、図１１に示したように、取付け片３の紐類案内溝３２を省略したものでは、製造用金型の構造を簡素化することができ、より経済的に製造することが可能となり、図１２中に示したもののように、取付け片３に釘類打込み孔３０を穿設し、押圧片５に釘類打込み孔５０を穿設してなるものは、製造用金型の構造を格段に簡素化することができ、小型の樹木類装着用表示札１を効率的且つ経済的に大量生産するのに有効であるという秀れた利点が得られる。
【００４２】
（結  び）
叙述の如く、この考案の樹木類装着用表示札は、その新規な構成によって所期の目的を遍く達成可能とするものであり、しかも製造も容易で、従前からの金属製の支柱やフレームを有する樹名札などに比較して遙かに小型・軽量化して製造、輸送、携帯、設置および維持、管理の各作業性を大幅に効率化することができる上、耐久性に秀れ、且つ低廉に大量生産可能で遥かに経済的なものとすることができることから、経費の節減が強く求められる国内情勢の中、地域や自然公園などの様々な建造物や樹木類などを広範囲に渡って管理しなければならない公共団体や企業、造園業界や建設業界、および管理用品を生産、供給する標識業界などはもとより、私有施設やその敷地内などを適正且つ経済的に管理しようとする一般家庭においても高く評価され、広範に渡って利用、普及していくものになると予想される。                                                                                                  
【図面の簡単な説明】
【００４３】
図面は、この考案の樹木類装着用表示札の技術的思想を具現化した代表的な幾つかの実施例を示すものである。
【図１】展開状態の樹木類装着用表示札を示す正面図である。
【図２】展開状態の樹木類装着用表示札Ｈ−Ｈ部分を示す断面図である。
【図３】装着状態の樹木類装着用表示札を示す正面図である。
【図４】装着状態の樹木類装着用表示札Ｊ−Ｊ部分を示す断面図である。
【図５】展開状態の樹木類装着用表示札を示す斜視図である。
【図６】展開状態の樹木類装着用表示札要部を示す斜視図である。
【図７】紐類によって装着する樹木類装着用表示札要部を示す斜視図である。
【図８】紐類によって装着した樹木類装着用表示札要部を示す斜視図である。
【図９】釘類によって装着する樹木類装着用表示札要部を示す斜視図である。
【図１０】釘類によって装着した樹木類装着用表示札要部を示す斜視図である。
【図１１】一部に変更を加えた樹木類装着用表示札要部を示す斜視図である。
【図１２】一部に別の変更を加えた樹木類装着用表示札要部を示す斜視図である。
【符号の説明】
【００４４】
１      樹木類装着用表示札
２      札本体
２０    同  情報表示部
Ａ〜Ｆ  同  文字表示範囲
Ｇ    同  表示矢印
３      取付け片
３０    同  釘類打込み孔
３１    同  釘類打込み孔
３２    同  紐類案内溝
４      ヒンジ部
５      押圧片
５０    同  釘類打込み孔
５１    同  膨出部
５２    同  受入れ溝
６      接合部
６１    同  嵌着孔（被着部）
６２    同  、柱状突起部（加着部）
７      樹木類
８      紐類
９      釘類                                                                                                      
【図１】
0003140559.tif 000003
【図２】
0003140559.tif 000004
【図３】
0003140559.tif 000005
【図４】
0003140559.tif 000006
【図５】
0003140559.tif 000007
【図６】
0003140559.tif 000008
【図７】
0003140559.tif 000009
【図８】
0003140559.tif 000010
【図９】
0003140559.tif 000011
【図１０】
0003140559.tif 000012
【図１１】
0003140559.tif 000013
【図１２】
0003140559.tif 000014